(57)【特許請求の範囲】
【請求項１】
組立・分解可能容器が、１つの底部材と一方の２枚の壁部材ともう一方の２枚の壁部材とにより構成されているとともに、
前記一方の壁部材の縦長連結部には複数の嵌合空間部が形成されるとともに、もう一方の壁部材の端部垂直側板部には、前記嵌合空間部に対応する位置に、水平部及び該水平部の端部から上方に延びる垂直部からなるＬ字状の嵌合ブロックが形成され、前記嵌合空間部に前記嵌合ブロックを嵌合させることにより、一方の２枚の壁部材が互いに相対するように、且つ、一方の２枚の壁部材が互いに相対するように組み立てられ、
また、一方の壁部材及びもう一方の壁部材の下端水平フランジの裏面に垂設された嵌合ブロック部材を、底部材に形成された嵌合縦孔に嵌合させることにより、一方の壁部材と底部材及びもう一方の壁部材と壁部材とが連結されるように構成されており、
更に、もう一方の壁部材の上部水平フランジと端部垂直側板部とにより形成される隅部には、上部隅部補強部材が形成されており、
該上部隅部補強部材には、上部水平フランジの端部付近と端部垂直側板部の上端部付近を連結する傾斜連結リブが形成されており、
前記嵌合ブロックの水平部の下部には、下部水平リブが形成されており、
前記傾斜連結リブの下端部を、最上部の前記嵌合ブロックの水平部の下部水平リブの端部垂直側板部側の近傍に位置するように構成したことを特徴とする組立・分解可能容器。
【請求項２】
上部隅部補強部材には水平リブが形成され、
前記嵌合ブロックの水平部の上部には、上部水平リブが形成され、
前記水平リブが、最上部の前記嵌合ブロックの前記上部水平リブと略同一線上に配置されるように構成されていることを特徴とする請求項１に記載の組立・分解可能容器。
【請求項３】
もう一方の壁部材のうち前記上部隅部補強部材よりも下方には横リブが形成され、
前記嵌合ブロックの水平部の上部には、上部水平リブが形成され、
前記横リブが、最上部とは異なる嵌合ブロック部材に形成された水平部の上部水平リブと略同一線上に配置されるように構成されていることを特徴とする請求項１又は請求項２に記載の組立・分解可能容器。
【請求項４】
一方の壁部材の縦長連結部に形成された嵌合空間と重なるように、縦長連結部の垂直側板部には、視認透孔が穿設されており、且つ、一方の壁部材に形成された横リブの端部が、視認透孔付近に位置する縦長連結部に当接するように配置されていることを特徴とする請求項１乃至３のいずれかに記載の組立・分解可能容器。
【発明の詳細な説明】
【技術分野】
【０００１】
本発明は、組み立て、及び、組み立てられた容器を分解することが可能な組立・分解可能容器に関するものである。
【背景技術】
【０００２】
分解することができない容器本体の高さを増加するために、角筒状の口枠を、載置するように構成した容器が、特許文献１に開示されている。
【先行技術文献】
【特許文献】
【０００３】
【特許文献１】実公平３−２６１２９号公報
【発明の概要】
【発明が解決しようとする課題】
【０００４】
上述した特許文献１に開示されている容器においては、該容器本体自体を、組み立てたり、或いは、分解することは不可能であった。
【０００５】
上述した口枠は、一方の支持壁に形成された嵌合凸部を、もう一方の支持壁に形成された嵌合凹部に嵌合することにより、一方の支持壁ともう一方の支持壁とが連結されることになるが、一方の支持壁に形成された嵌合凸部の強度が十分でないために、一方の支持壁に形成された嵌合凸部が損傷したり、もう一方の支持壁に連結された状態の嵌合凸部が損傷するという問題があった。
【０００６】
本発明は、上述した容器本体が有する課題を解決することにある。
【課題を解決するための手段】
【０００７】
組立・分解可能容器が、１つの底部材と一方の２枚の壁部材ともう一方の２枚の壁部材とにより構成されているとともに、
前記一方の壁部材の縦長連結部には複数の嵌合空間部が形成されるとともに、もう一方の壁部材の端部垂直側板部には、前記嵌合空間部に対応する位置に、水平部及び該水平部の端部から上方に延びる垂直部からなるＬ字状の嵌合ブロックが形成され、前記嵌合空間部に前記嵌合ブロックを嵌合させることにより、一方の２枚の壁部材が互いに相対するように、且つ、一方の２枚の壁部材が互いに相対するように組み立てられ、
また、一方の壁部材及びもう一方の壁部材の下端水平フランジの裏面に垂設された嵌合ブロック部材を、底部材に形成された嵌合縦孔に嵌合させることにより、一方の壁部材と底部材及びもう一方の壁部材と壁部材とが連結されるように構成されており、
更に、もう一方の壁部材の上部水平フランジと端部垂直側板部とにより形成される隅部には、上部隅部補強部材が形成されており、
該上部隅部補強部材には、上部水平フランジの端部付近と端部垂直側板部の上端部付近を連結する傾斜連結リブが形成されており、
前記嵌合ブロックの水平部の下部には、下部水平リブが形成されており、
前記傾斜連結リブの下端部を、最上部の前記嵌合ブロックの水平部の下部水平リブの端部垂直側板部側の近傍に位置するように構成したものである。
【０００８】
また、上部隅部補強部材には水平リブが形成され、
前記嵌合ブロックの水平部の上部には、上部水平リブが形成され、
前記水平リブが、最上部の前記嵌合ブロックの前記上部水平リブと略同一線上に配置されるように構成されていることとしてもよい。
【０００９】
更に、もう一方の壁部材のうち前記上部隅部補強部材よりも下方には横リブが形成され、前記嵌合ブロックの水平部の上部には、上部水平リブが形成され、
前記横リブが、最上部とは異なる嵌合ブロック部材に形成された水平部の上部水平リブと略同一線上に配置されるように構成されていることとしてもよい。
【００１０】
更にまた、一方の壁部材の縦長連結部に形成された嵌合空間と重なるように、縦長連結部の垂直側板部には、視認透孔が穿設されており、且つ、一方の壁部材に形成された横リブの端部が、視認透孔付近に位置する縦長連結部に当接するように配置されていることとしてもよい。
【発明の効果】
【００１１】
組立・分解可能容器が、１つの底部材と一方の２枚の壁部材ともう一方の２枚の壁部材とにより構成されているとともに、前記一方の壁部材の縦長連結部に形成された嵌合空間部に、もう一方の壁部材の端部垂直側板部に形成された嵌合ブロックを嵌合させることにより、一方の２枚の壁部材が互いに相対するように、且つ、一方の２枚の壁部材が互いに相対するように組み立てられ、また、一方の壁部材及びもう一方の壁部材の下端水平フランジの裏面に垂設された嵌合ブロック部材を、底部材に形成された嵌合縦孔に嵌合させることにより、一方の壁部材と底部材及びもう一方の壁部材と壁部材とが連結されるように構成されており、更に、もう一方の壁部材の上部水平フランジと端部垂直側板部とにより形成される隅部には、上部隅部補強部材が形成されており、上部隅部補強部材には、上部水平フランジの端部付近と端部垂直側板部の上端部付近を連結する傾斜連結リブが形成されており、傾斜連結リブの下端部を、嵌合ブロック部材を構成する水平部の下部水平リブの端部垂直側板部側の近傍に位置するように構成したので、もう一方の壁部材の強度や剛性を高めることができ、ひいては、箱型に組み立てられた組立・分解可能容器の強度や剛性を高めることができるとともに、組立・分解可能容器の捩れ変形を防止することができる。
【００１２】
また、上部隅部補強部材に形成された水平リブが、嵌合ブロック部材に形成された水平部の上部水平リブと略同一線上に配置されるように構成したので、組立・分解可能容器の強度や剛性を高めることができるとともに、組立・分解可能容器の捩れ変形を防止することができ、また、嵌合ブロック部材の強度や剛性を高めることができる。
【００１３】
更に、もう一方の壁部材に形成された横リブが、最上部とは異なる嵌合ブロック部材に形成された水平部の上部水平リブと略同一線上に配置されるように構成したので、もう一方の壁部材の強度や剛性を高めることができ、ひいては、箱型に組み立てられた組立・分解可能容器の強度や剛性を高めることができるとともに、組立・分解可能容器の捩れ変形を防止することができ、また、嵌合ブロック部材の強度や剛性を高めることができる。
【００１４】
更にまた、一方の壁部材の縦長連結部に形成された嵌合空間と重なるように、縦長連結部の垂直側板部には視認透孔が形成されており、且つ、一方の壁部材に形成された横リブの端部が、視認透孔付近に位置する縦長連結部に当接するように配置したので、視認透孔付近に位置する縦長連結部の強度や剛性を高めることができ、ひいては、一方の壁部材の強度や剛性を高めることができる。
【図面の簡単な説明】
【００１５】
【図１】図１は、本発明の組立・分解可能容器の組立状態の斜視図である。
【図２】図２は、本発明の組立・分解可能容器を構成する底部材の斜視図である。
【図３】図３は、図２に示されている底部材の部分拡大斜視図である。
【図４】図４は、本発明の組立・分解可能容器を構成する長壁部材の斜視図である。
【図５】図５は、同じく、本発明の組立・分解可能容器を構成する長壁部材の斜視図である。
【図６】図６は、図４に示されている長壁部材の部分拡大斜視図である。
【図７】図７は、同じく、図４に示されている長壁部材の部分拡大斜視図である。
【図８】図８は、同じく、図４に示されている長壁部材の部分拡大斜視図である。
【図９】図９は、同じく、図４に示されている長壁部材の部分拡大斜視図である。
【図１０】図１０は、同じく、図４に示されている長壁部材の一部垂直断面を含む部分拡大斜視図である。
【図１１】図１１は、同じく、図４に示されている長壁部材の部分拡大斜視図である。
【図１２】図１２は、同じく、図４に示されている長壁部材の部分拡大斜視図である。
【図１３】図１３は、同じく、図４に示されている長壁部材の一部垂直断面を含む部分拡大斜視図である。
【図１４】図１４は、本発明の組立・分解可能容器を構成する短壁部材の斜視図である。
【図１５】図１５は、同じく、本発明の組立・分解可能容器を構成する短壁部材の斜視図である。
【図１６】図１６は、本発明の組立・分解可能容器を構成する短壁部材の部分拡大斜視図である。
【図１７】図１７は、本発明の組立・分解可能容器を構成する短壁部材の垂直断面図を含む部分拡大斜視図である。
【図１８】図１８は、本発明の組立・分解可能容器を構成する短壁部材の垂直部分断面図である。
【図１９】図１９は、本発明の組立・分解可能容器の組み立て順序を説明するための長壁部材と短壁部材の斜視図である。
【図２０】図２０は、本発明の組立・分解可能容器の組み立て順序を説明するための長壁部材と短壁部材の部分拡大斜視図である。
【図２１】図２１は、同じく、本発明の組立・分解可能容器の組み立て順序を説明するための長壁部材と短壁部材の部分拡大斜視図である。
【図２２】図２２は、同じく、本発明の組立・分解可能容器の組み立て順序を説明するための長壁部材と短壁部材の部分拡大斜視図である。
【図２３】図２３は、同じく、本発明の組立・分解可能容器の組み立て順序を説明するための長壁部材と短壁部材の部分拡大斜視図である。
【図２４】図２４は、本発明の組立・分解可能容器を構成する容器本体の斜視図である。
【図２５】図２５は、本発明の組立・分解可能容器を構成する容器本体と底部材の斜視図である。
【図２６】図２６は、本発明の組立・分解可能容器を構成する容器本体と底部材との嵌合状態の部分拡大垂直断面図である。
【図２７】図２７は、本発明の組立・分解可能容器を構成する容器本体と底部材との嵌合状態が解除される過程を示す部分拡大垂直断面図である。
【実施例】
【００１６】
以下に、本発明の実施例について説明するが、本発明の趣旨を越えない限り、何ら、本発明の実施例に限定されるものではない。
【００１７】
図１において、Ｃ１は、組立・分解可能容器（以下、単に、容器ともいう。）であり、容器Ｃ１は、底部材１と、相対する長壁部材２と、相対する短壁部材３とから構成されている。
【００１８】
次に、図２及び図３を用いて、底部材１について説明する。
【００１９】
底部材１は、平面形状が、略長方形状の底板部１ａと、底板部１ａの周辺に、底板部１ａに一体に立設された周壁部１ｂとを有しており、周壁部１ｂは、底板部１ａの相対する長辺部に立設された長辺周壁１ｂ１と、底板部１ａの相対する短辺部に立設された短辺周壁１ｂ２とにより構成されている。なお、本実施例においては、底板部１ａは、底板部１ａを構成する平板１ａ１と、平板１ａ１を下方に凹ませることにより形成された、平面形状が略方形状の凹部１ａ２とから構成されている。
【００２０】
周壁部１ｂの上端には、上端から外側方向に延在する周状上端水平フランジ１ｃが形成されており、また、周壁部１ｂの下端付近には、外側方向に延在する周状下端部水平フランジ１ｄが形成されている。また、周状上端水平フランジ１ｃの４つの角部１ｃ１と周状下端部水平フランジ１ｄの４つの角部１ｄ１とは、帯板状角部垂直リブ１ｅにより連結されている。更に、周状上端水平フランジ１ｃの直線部１ｃ２と周状下端部水平フランジ１ｄの直線部１ｄ２とも、適当数の板状の垂直リブ１ｆにより連結されている。本実施例においては、垂直リブ１ｆは、中間帯状部１ｆ１と、中間帯状部１ｆ１の上端と周状上端水平フランジ１ｃの下面との隅部に形成された上部三角形部１ｆ２と、中間帯状部１ｆ１の下端と周状下端部水平フランジ１ｄの上面との隅部に形成された下部三角形部１ｆ３とから形成されている。
【００２１】
本実施例においては、嵌合部材１ｇを形成する相対する側板部１ｇ２の一方の側板部１ｇ２を、周状下端部水平フランジ１ｄまで延在させることにより、垂直リブ１ｆが形成されている。また、嵌合部材１ｇを形成する相対する側板部１ｇ２の一方の側板部１ｇ２を、底部角部補強部１ｉを形成する傾斜片１ｉ２まで延在することにより、垂直リブ１ｆが形成されている。なお、周状上端水平フランジ１ｃと周状下端部水平フランジ１ｄとを連結するように、垂直リブ１ｆを形成することもできる。
【００２２】
周状上端水平フランジ１ｃの直線部１ｃ２には、所定の間隔を置いて、嵌合部材１ｇが形成されている。嵌合部材１ｇは、周状上端水平フランジ１ｃの直線部１ｃ２に穿設された嵌合孔１ｇ１と、周状上端水平フランジ１ｃの直線部１ｃ２の裏面に垂設された、周状上端水平フランジ１ｃの直線部１ｃ２の長手方向と直交する相対する側板部１ｇ２と、相対する側板部１ｇ２の下端を連結する水平板部１ｇ３とにより形成される側部開口を閉鎖するとともに、周壁部１ｂの４つの角部１ｄ１以外の平坦な周壁部１ｂに平行で、且つ、周壁部１ｂから所定の間隔を置いて配置された仕切板部１ｇ４とから形成されており、また、仕切板部１ｇ４には、係止透孔１ｇ４’が穿設されている。
【００２３】
嵌合部材１ｇを、上述したように構成することにより、嵌合部材１ｇには、周状上端水平フランジ１ｃの直線部１ｃ２に穿設された嵌合孔１ｇ１と相対する側板部１ｇ２と水平板部１ｇ３と仕切板部１ｇ４と該仕切板部１ｇ４に平行な周壁部１ｂの平坦な部分とにより、嵌合縦孔Ｈ１が形成されている。本実施例においては、相対する直線部１ｃ２に、それぞれ、４個の嵌合縦孔Ｈ１が形成されており、合計１６個の嵌合縦孔Ｈ１が形成されている。また、周状上端水平フランジ１ｃの直線部１ｃ２の中央部には、副嵌合縦孔ｈ１が形成されており、本実施例においては、相対する直線部１ｃ２に、それぞれ、２個の副嵌合縦孔ｈ１が形成されており、合計８個の副嵌合縦孔ｈ１が形成されている。
【００２４】
上述した底部材１に形成された周状上端水平フランジ１ｃの角部１ｃ１と周状下端部水平フランジ１ｄの角部１ｄ１とを連結する帯板状角部垂直リブ１ｅの両側面の下部には、帯板状角部垂直リブ１ｅに垂直で、且つ、周状下端部水平フランジ１ｄに平行な水平片１ｉ１が連接されているとともに、水平片１ｉ１の先端と、周状下端部水平フランジ１ｄの角部１ｄ１に位置する先端とが、傾斜片１ｉ２により連結されている。
【００２５】
上述したように、底部材１の角部に、水平片１ｉ１と傾斜片１ｉ２とにより形成される底部角部補強部１ｉを形成したことにより、底部材１の強度や剛性を高めることができるとともに、底部材１の捩れ変形を防止することができ、ひいては、箱型に組み立てられた容器Ｃ１の強度や剛性を、更に高めることができるとともに、容器Ｃ１の捩れ変形を、更に防止することができる。なお、周状上端水平フランジ１ｃと周壁部１ｂとにより形成される隅部や、周状下端部水平フランジ１ｄと周壁部１ｂとにより形成される隅部に、補強用三角リブ１ｊを形成することもできる。
【００２６】
次に、図４〜図１３を用いて、長壁部材２について説明する。
【００２７】
長壁部材２は、平板状板部２ａと、該平板状板部２ａの両端垂直辺から、平板状板部２ａの内面（容器Ｃ１が箱型に組み立てられた際に、容器Ｃ１の内側に位置する面）２ａ１に対して略垂直に、且つ、平板状板部２ａの両端垂直辺の略全高に亘たって延在する縦長連結部２ｂとを有している。また、平板状板部２ａと縦長連結部２ｂの上端には、平板状板部２ａの外面（容器Ｃ１が箱型に組み立てられた際に、容器Ｃ１の外側に位置する面）２ａ２に対して垂直に、外側方向に延在する上端水平フランジ２ｃが形成されており、更に、平板状板部２ａと縦長連結部２ｂの下端には、平板状板部２ａの外面２ａ２に対して垂直に、外側方向に延在する下端水平フランジ２ｄが形成されている。
【００２８】
縦長連結部２ｂには、上端水平フランジ２ｃを延長することにより形成された上端水平板部２ｂ１と、下端水平フランジ２ｄを延長することにより形成された、該上端水平板部２ｂ１と相対する下端水平板部２ｂ２と、相対する垂直側板部２ｂ３と、奥壁２ｂ４とにより形成された縦長空間部Ａ１が形成されている。縦長空間部Ａ１は、相対する垂直側板部２ｂ３の先端２ｂ３’から奥壁２ｂ４まで延在するとともに、相対する垂直側板部２ｂ３及び奥壁２ｂ４に連接された適当数の水平区画板部２ｂ５が形成されており、このような水平区画板部２ｂ５を形成することにより、縦長空間部Ａ１は、複数の副空間部Ａ１’に区画されている。なお、説明の都合上、上端水平板部２ｂ１と対向する水平区画板部２ｂ５を、上端部水平区画板部と称し、符号２ｂ５’が付されており、また、下端水平板部２ｂ２と対向する水平区画板部２ｂ５を、下端部水平区画板部と称し、符号２ｂ５”が付されている。なお、本実施例には、縦長空間部Ａ１は、５個の副空間部Ａ１’に区画されている。
【００２９】
上端部水平区画板部２ｂ５’の中央部下面には、相対する垂直側板部２ｂ３に連接された垂直片２ｂ６が垂設されており、垂直短片２ｂ６の下端には、相対する垂直側板部２ｂ３に連接されているとともに、相対する垂直側板部２ｂ３の先端２ｂ３’まで延在する水平片２ｂ７が形成されている。このように、垂直片２ｂ６と水平片２ｂ７を形成することにより、上端部水平区画板部２ｂ５’の下部には、相対する垂直側板部２ｂ３と奥壁２ｂ４と上端部水平区画板部２ｂ５’と垂直片２ｂ６とにより、下方が開放された嵌合空間Ａ２が形成されている。
【００３０】
同様に、上端部水平区画板部２ｂ５’と下端部水平区画板部２ｂ５”との間に位置する水平区画板部２ｂ５の中央部下面にも、上述した垂直片２ｂ６が垂設されているとともに、垂直短片２ｂ６の下端にも、上述した水平片２ｂ７が形成されており、このように、垂直片２ｂ６と水平片２ｂ７を形成することにより、水平区画板部２ｂ５の下部には、同様の嵌合空間Ａ２が形成されている。
【００３１】
上述したように、縦長連結部２ｂを、上端水平板部２ｂ１と下端水平板部２ｂ２と相対する垂直側板部２ｂ３と奥壁２ｂ４とにより形成することにより、縦長連結部２ｂの強度や剛性を高めることができるとともに、縦長連結部２ｂの捩れ変形を防止することができ、ひいては、箱型に組み立てられた容器Ｃ１の強度や剛性を高めることができるとともに、容器Ｃ１の捩れ変形を防止することができる。また、縦長連結部２ｂを構成する相対する垂直側板部２ｂ３同士を、水平区画板部２ｂ５や垂直片２ｂ６や水平片２ｂ７により連結することにより、縦長連結部２ｂの強度や剛性を、更に高めることができるとともに、縦長連結部２ｂの捩れ変形を、より確実に防止することができ、ひいては、箱型に組み立てられた容器Ｃ１の強度や剛性を、更に高めることができるとともに、容器Ｃ１の捩れ変形を、より確実に防止することができる。更に、相対する垂直側板部２ｂ３のうち、外側に位置する垂直側板部２ｂ３が、リブ構造ではないので、縦長連結部２ｂが損傷するようなことを防止することができる。
【００３２】
また、長壁部材２の下端水平フランジ２ｄの裏面には、上述した底部材１を形成する周状上端水平フランジ１ｃの直線部１ｃ２に形成された嵌合部材１ｇの嵌合縦孔Ｈ１に嵌合される嵌合ブロック部材Ｂ１が垂設されている。
【００３３】
複数個の嵌合ブロック部材Ｂ１は、下端水平フランジ２ｄの長手方向に沿って、下端水平フランジ２ｄの裏面に形成されている。嵌合ブロック部材Ｂ１を構成する板状の弾性舌片ｂ１は、下端水平フランジ２ｄの長手方向に沿って、下端水平フランジ２ｄの裏面に垂設されており、弾性舌片ｂ１の下端部には、下端水平フランジ２ｄの先端２ｄ１方向に延在する水平状の係止突部ｂ１ａが形成されている。この係止突部ｂ１ａの下面は、係止突部ｂ１ａの先端から、弾性舌片ｂ１に向かって、下方に傾斜した傾斜面ｂ１ａ’として形成されている。また、係止突部ｂ１ａは、容器Ｃ１が箱型に組み立てられた際に、底部材１に形成された嵌合部材１ｇの仕切板部１ｇ４に穿設された係止透孔１ｇ４’に嵌入され係止されるように構成されている。更に、係止突部ｂ１ａの中央部には、下端水平フランジ２ｄの先端２ｄ１側及び下方が開放された凹部ｂ１ａ”が形成されている。更にまた、弾性舌片ｂ１の内面（容器Ｃ１が組み立てられた際に、容器Ｃ１の内側に位置する面）ｂ１’には、弾性舌片ｂ１の相対する垂直側部に沿って、垂直厚肉部ｂ１ｂが形成されているとともに、垂直厚肉部ｂ１ｂの下端部には、弾性舌片ｂ１の弾性変形を抑制する弾性変形抑制突起ｂ１ｂ’が突設されている。なお、垂直厚肉部ｂ１ｂを省略し、弾性舌片ｂ１の内面ｂ１’に、直に突設することもできる。
【００３４】
上述した弾性舌片ｂ１は、下端水平フランジ２ｄの長手方向と直交するとともに、下端水平フランジ２ｄの裏面に垂設された相対する垂直側板部ｂ２ａと該相対する垂直側板部ｂ２ａの下端を連結する下端水平板部ｂ２ｂとからなる弾性舌片保護部材ｂ２により、その側部と下端が保護されるように構成されている。また、上述した弾性舌片ｂ１の下端部に形成された係止突部ｂ１ａは、弾性舌片保護部材ｂ２を越えて、外側に突出するように構成されている。
【００３５】
また、縦長連結部２ｂを形成する相対する垂直側板部２ｂ３のうち、外側（容器Ｃ１が箱型に組み立てられた際に、容器Ｃ１の外側に位置する面）に位置する垂直側板部２ｂ３には、上部が、嵌合空間Ａ２と重なるように形成された視認透孔２ｂ８が穿設されている。
【００３６】
なお、２ｅは、縦長連結部２ｂを形成する相対する垂直側板部２ｂ３のうち、外側（容器Ｃ１が箱型に組み立てられた際に、容器Ｃ１の外側に位置する面）に位置する垂直側板部２ｂ３に穿設された水抜き透孔であり、２ｆは、長壁部材２の外面２ａ２に、適当数形成された縦リブであり、２ｇは、長壁部材２の外面２ａ２に、適当数形成された横リブである。
【００３７】
長壁部材２の幅方向の両端部に位置する縦リブ（以下、両端部縦リブと称し、符号２ｆ’を付す。）と縦長連結部２ｂとの間に位置する横リブ２ｇの部分（以下、この部分を、高部部分と称し、符号２ｇ１が付されている。）の高さ（平板状板部２ａの外面２ａ２から横リブ２ｇの先端までの高さ）は、両端部縦リブ２ｆ’の高さ（平板状板部２ａの外面２ａ２から両端部縦リブ２ｆ’の先端までの高さ）と略同じに形成されている。このように構成することにより、縦長連結部２ｂの強度や剛性を高めることができる。
【００３８】
また、両端部縦リブ２ｆ’と該両端部縦リブ２ｆ’と相対する縦リブ２ｆ間、及び、相対する縦リブ２ｆ間に位置する横リブ２ｇの部分２ｇ２の高さは、高部部分２ｇ１の高さ（平板状板部２ａの外面２ａ２から横リブ２ｇの先端までの高さ）より低く形成されており、このように低く形成された横リブ２ｂの部分２ｇ２は、平面形状が略三角形状の三角形部２ｇ３を介して、両端部縦リブ２ｆ’や縦リブ２ｆに連結されている。このように構成することにより、長壁部材２の強度や剛性を高めることができるとともに、長壁部材２を軽量化することができる。
【００３９】
また、上述したように、縦長連結部２ｂを形成する相対する垂直側板部２ｂ３のうち、外側に位置する垂直側板部２ｂ３には、上部が、嵌合空間Ａ２と重なるように形成された視認透孔２ｂ８が穿設されているが、横リブ２ｇの高部部分２ｇ１は、視認透孔２ｂ８付近に位置する縦長連結部２ｂに当接するように配置されている。このように構成することにより、視認透孔２ｂ８付近に位置する縦長連結部２ｂの強度や剛性を高めることができ、ひいては、長壁部材２の強度や剛性を高めることができる。
【００４０】
更に、下端水平フランジ２ｄの裏面には、上述した底部材１の周状上端水平フランジ１ｃに形成された副嵌合縦孔ｈ１に嵌合される副嵌合ブロック部材Ｂ１’が垂設されている。このように、下端水平フランジ２ｄの裏面に、底部材１の周状上端水平フランジ１ｃに形成された副嵌合縦孔ｈ１に嵌合される副嵌合ブロック部材Ｂ１’を垂設することにより、長壁部材２が立てられた際に、長壁部材２が、傾斜するようなことを防止することができる。なお、平板状板部２ａの外面２ａ２と下端水平フランジ２ｄとにより形成される隅部には、三角形状の補強リブ２ｈを形成することもできる。
【００４１】
なお更に、長壁部材２の上端水平フランジ２ｃの下方近傍に形成された上部水平フランジ２ｉの外側先端と、上端水平フランジ２ｃの外側先端とを、平板状板部２ａと平行な垂直連結帯状板２ｊにより連結したものである。このように、長壁部材２の上部に、上端水平フランジ２ｃと、上部水平フランジ２ｉと、上端水平フランジ２ｃの外側先端と上部水平フランジ２ｉの外側先端とを連結する垂直連結帯状板２ｊにより構成される断面（長壁部材２の上端水平フランジ２ｃの長手方向に対して垂直な垂直断面）が略Ｃ状の上部補強部２’を形成したので、長壁部材２の強度や剛性を高めることができるとともに、長壁部材２の捩れ変形を防止することができ、ひいては、箱型に組み立てられた容器Ｃ１の強度や剛性を高めることができるとともに、容器Ｃ１の捩れ変形を防止することができる。なお、２ｋは、上端水平フランジ２ｃと上部水平フランジ２ｉとを連結する垂直補強連結リブである。
【００４２】
次に、図１４〜図１８を用いて、短壁部材３について説明する。
【００４３】
短壁部材３は、平板状板部３ａと、平板状板部３ａの上端から、外面（容器Ｃ１が箱型に組み立てられた際に、容器Ｃ１の外側に位置する面）３ａ１に対して垂直に外側方向に延在する上端水平フランジ３ｂが形成されており、また、平板状板部３ａの下端から、外面３ａ１に対して垂直に外側方向に延在する下端水平フランジ３ｃが形成されており、更に、上端水平フランジ３ｂの端部と下端水平フランジ３ｃとを連結する、相対する端部垂直側板部３ｄが形成されている。
【００４４】
３ｅは、相対する端部垂直側板部３ｄに形成された嵌合ブロック部材であり、嵌合ブロック部材３ｅは、端部垂直側板部３ｄに対して垂直な水平部３ｅ１と、水平部３ｅ１の先端部から垂直に上方に延在する垂直部３ｅ２とから形成されている。嵌合ブロック部材３ｅは、長壁部材２の縦長連結部２ｂに形成された嵌合空間Ａ２の個数と同じ数、形成されている。本実施例においては、上述したように、長壁部材２の縦長連結部２ｂには、５個の嵌合空間Ａ２が形成されており、従って、嵌合ブロック部材３ｅも５個形成されている。長壁部材２と短壁部材３とを連結した際には、嵌合ブロック部材３ｅの垂直部３ｅ２が、嵌合空間Ａ２に嵌合されるように構成されている。また、短壁部材３の下端水平フランジ３ｃの裏面には、上述した長壁部材２の下端水平フランジ２ｄの裏面に垂設された嵌合ブロックＢ１と同様の嵌合ブロックＢ１が垂設されている。
【００４５】
３ｆは、短壁部材３の平板状板部３ａ上部に穿設された手持ち用透孔であり、３ｇは、短壁部材３の外面３ａ１に、適当数形成された縦リブであり、３ｈは、短壁部材３の外壁面３ａ１に、適当数形成された横リブである。また、横リブ３ｈの高さの大部分の高さ（平板状板部３ａの外面３ａ１から横リブ３ｈの先端までの高さ）は、縦リブ３ｇの高さより低く形成されている。なお、端部垂直側板部３ｄと該端部垂直側板部３ｄと相対する縦リブ３ｇ間、及び、相対する縦リブ３ｇ間に位置する横リブ３ｈは、平面形状が略三角形状の三角形部３ｈ１を介して、端部垂直側板部３ｄや縦リブ３ｇに連結されている。このように構成することにより、短壁部材３の強度や剛性を高めることができるとともに、短壁部材３を軽量化することができる。
【００４６】
また、短壁部材３の上端水平フランジ３ｂの下方近傍には、上部水平フランジ３ｉが形成されており、上端水平フランジ３ｂの外側先端と、上部水平フランジ３ｉとは、平板状板部３ａと平行な垂直連結帯状板３ｊにより連結されている。このように構成することにより、短壁部材３の上部には、上端水平フランジ３ｂと、上部水平フランジ３ｉと、垂直連結帯状板３ｊとからなる断面（短壁部材３の上端水平フランジ３ｂの長手方向に対して垂直な垂直断面）が略Ｃ状の上部補強部３’が形成されている。このような上部補強部３’を形成することにより、短壁部材３の強度や剛性を高めることができるとともに、短壁部材３の捩れ変形を防止することができ、ひいては、箱型に組み立てられた容器Ｃ１の強度や剛性を高めることができるとともに、容器Ｃ１の捩れ変形を防止することができる。なお、３ａ２は、平板状板部３ａの内面（容器Ｃ１が箱型に組み立てられた際に、容器Ｃ１の内面に位置する面）である。
【００４７】
更に、上部水平フランジ３ｉと端部垂直側板部３ｄとにより形成される隅部には、上部隅部補強部材Ｅ１が形成されている。上部隅部補強部材Ｅ１には、上部水平フランジ３ｉの端部付近と端部垂直側板部３ｄの上端部付近を連結する傾斜連結リブｅ１が形成されており、傾斜連結リブｅ１の下端部は、嵌合ブロック部材３ｅを構成する水平部３ｅ１の下部水平リブ３ｅ１’の端部垂直側板部３ｄ側の近傍に位置するように構成されている。上述したように、上部隅部補強部材Ｅ１を形成したので、短壁部材３の強度や剛性を高めることができ、ひいては、箱型に組み立てられた容器Ｃ１の強度や剛性を高めることができるとともに、容器Ｃ１の捩れ変形を防止することができる。
【００４８】
上部隅部補強部材Ｅ１を構成する傾斜連結リブｅ１の中程には、嵌合ブロック部材３ｅを構成する水平部３ｅ１の上部水平リブ３ｅ１”に、端部垂直側板部３ｄを介して連接された水平リブｅ２が形成されている。また、上部隅部補強部材Ｅ１には、上端水平フランジ３ｂと上部水平フランジ３ｉとを連結する垂直補強連結リブ３ｋに、上部水平フランジ３ｉを介して連接された垂直リブｅ３が形成されている。更に、上部隅部補強部材Ｅ１には、平板状板部３ａと平行で、垂直連結帯状板３ｊと面一な三角形状の隅部外壁板部ｅ４が形成されている。
【００４９】
上述したように、上部水平フランジ３ｉと端部垂直側板部３ｄとにより形成される隅部に、上部隅部補強部材Ｅ１が形成されているので、短壁部材３の強度や剛性を高めることができ、ひいては、箱型に組み立てられた容器Ｃ１の強度や剛性を高めることができるとともに、容器Ｃ１の捩れ変形を防止することができる。
【００５０】
また、上述したように、上部隅部補強部材Ｅ１には、上部水平フランジ３ｉの端部付近と端部垂直側板部３ｄの上端部付近を連結する傾斜連結リブｅ１が形成されているので、短壁部材３の強度や剛性を高めることができ、ひいては、箱型に組み立てられた容器Ｃ１の強度や剛性を高めることができるとともに、容器Ｃ１の捩れ変形を防止することができる。
【００５１】
更に、上部隅部補強部材Ｅ１を形成する水平リブｅ２が、嵌合ブロック部材３ｅを構成する水平部３ｅ１の上部水平リブ３ｅ１”と略同一線上に配置されているので、箱型に組み立てられた容器Ｃ１の強度や剛性を高めることができるとともに、容器Ｃ１の捩れ変形を防止することができる。
【００５２】
なお更に、上部隅部補強部材Ｅ１を形成する水平リブｅ２が、嵌合ブロック部材３ｅを構成する水平部３ｅ１の上部水平リブ３ｅ１”と略同一線上に配置されているので、短壁部材３に形成された嵌合ブロック部材３ｅの強度や剛性を高めることができる。
【００５３】
短壁部材３の外壁面３ａ１に形成された適当数の横リブ３ｈは、嵌合ブロック部材３ｅを構成する水平部３ｅ１の上部水平リブ３ｅ１”と略同一線上に配置されている。このように構成することにより、短壁部材３の強度や剛性を高めることができ、ひいては、箱型に組み立てられた容器Ｃ１の強度や剛性を高めることができるとともに、容器Ｃ１の捩れ変形を防止することができる。また、短壁部材３に形成された嵌合ブロック部材３ｅの強度や剛性を高めることができる。
【００５４】
嵌合ブロック部材３ｅを構成する水平部３ｅ１の上部水平リブ３ｅ１”の位置に、短壁部材３の外壁面３ａ１に形成された適当数の横リブ３ｈが形成されていない場合には、端部垂直側板部３ｄと平板状板部３ａの外面３ａ１とにより形成される隅部に、隅部水平状補強リブ３ｍが形成されている。この隅部水平状補強リブ３ｍは、嵌合ブロック部材３ｅを構成する水平部３ｅ１の上部水平リブ３ｅ１”と略同一線上に配置されている。このように構成することにより、短壁部材３の強度や剛性を高めることができ、ひいては、箱型に組み立てられた容器Ｃ１の強度や剛性を高めることができるとともに、容器Ｃ１の捩れ変形を防止することができる。また、短壁部材３に形成された嵌合ブロック部材３ｅの強度や剛性を高めることができる。
【００５５】
また、下端水平フランジ３ｃの裏面には、上述した底部材１の周状上端水平フランジ１ｃに形成された副嵌合縦孔ｈ１に嵌合される副嵌合ブロック部材Ｂ１’が垂設されている。このように、下端水平フランジ３ｃの裏面に、底部材１の周状上端水平フランジ１ｃに形成された副嵌合縦孔ｈ１に嵌合される副嵌合ブロック部材Ｂ１’を垂設することにより、短壁部材３が立てられた際に、短壁部材３が、傾斜するようなことを防止することができる。なお、平板状板部３ａの外面３ａ１と下端水平フランジ３ｃとにより形成される隅部には、三角形状の補強リブ３ｎを形成することもできる。
【００５６】
次に、図１９〜図２６を用いて、容器Ｃ１の組み立てについて説明する。
【００５７】
先ず最初に、長壁部材２と短壁部材３との連結について説明する。
【００５８】
図１９に示されているように、長壁部材２の平板状板部２ａと短壁部材３の平板状板部３ａとが互いに直交するように、且つ、図２０に示されているように、長壁部材２の縦長連結部２ｂに形成されている副空間部Ａ１’と短壁部材３の端部垂直側板部３ｄに形成された嵌合ブロック部材３ｅとが対向するように、長壁部材２と短壁部材３とを配置する。
【００５９】
次いで、短壁部材３を、長壁部材２に接近させて、短壁部材３に形成された嵌合ブロック部材３ｅを、長壁部材２の縦長連結部２ｂに形成されている副空間部Ａ１’に挿入するとともに、図２１に示されているように、短壁部材３の端部垂直側板部３ｄを、長壁部材２の縦長連結部２ｂを構成する相対する垂直側板部２ｂ３の先端２ｂ３’に当接させる。このように、短壁部材３の端部垂直側板部３ｄが、長壁部材２の縦長連結部２ｂを構成する相対する垂直側板部２ｂ３の先端２ｂ３’に当接した際には、短壁部材３に形成された嵌合ブロック部材３ｅの垂直部３ｅ２が、長壁部材２の縦長連結部２ｂに形成されている副空間部Ａ１’内に位置する嵌合空間Ａ２の下方に位置するように構成されている。このように、短壁部材３に形成された嵌合ブロック部材３ｅの垂直部３ｅ２が、長壁部材２の縦長連結部２ｂに形成されている嵌合空間Ａ２の下方に位置しているか否かは、図２２に示されているように、縦長連結部２ｂを形成する相対する相対する垂直側板部２ｂ３のうち、外側に位置する垂直側板部２ｂ３に穿設された視認透孔２ｂ８内に、嵌合ブロック部材３ｅの垂直部３ｅ２が位置しているか否により、視認透孔２ｂ８を通して確認することができる。
【００６０】
次いで、長壁部材２に対して、短壁部材３を上昇させることにより、或いは、短壁部材３に対して、長壁部材２を下降させることにより、図２３に示されているように、短壁部材３に形成された嵌合ブロック部材３ｅの垂直部３ｅ２を、長壁部材２の縦長連結部２ｂに形成されている副空間部Ａ１’内に位置する嵌合空間Ａ２に嵌合させる。このように、嵌合ブロック部材３ｅの垂直部３ｅ２を、嵌合空間Ａ２に嵌合させた際には、嵌合ブロック部材３ｅの水平部３ｅ１の上面が、水平区画板部２ｂ５、２ｂ５’の下方に位置する水平片２ｂ７の下面に当接するように構成されているとともに、長壁部材２の上端水平フランジ２ｃの上面と短壁部材３の上端水平フランジ３ｂの上面とが、面一になるように構成されている。このようにして、長壁部材２と短壁部材３とが連結されることになる。なお、長壁部材２の上端水平フランジ２ｃの上面が、短壁部材３の上端水平フランジ３ｂの上面よりも、若干、上方に位置するように構成することもできる。
【００６１】
上述したように、長壁部材２と短壁部材３とが連結された際には、短壁部材３に形成された嵌合ブロック部材３ｅの垂直部３ｅ２が、長壁部材２の縦長連結部２ｂに形成されている副空間部Ａ１’内に位置する嵌合空間Ａ２に嵌合されるように構成されているので、長壁部材２と短壁部材３とを分離する方向の負荷が、長壁部材２や短壁部材３に加わった場合には、嵌合ブロック部材３ｅの垂直部３ｅ２が、嵌合空間Ａ２を構成する垂直片２ｂ６に当接し、長壁部材２と短壁部材３との分離を防止することができる。
【００６２】
上述したように、長壁部材２と短壁部材３とが連結された際には、短壁部材３に形成された嵌合ブロック部材３ｅの水平部３ｅ１の上部水平リブ３ｅ１”と、長壁部材２に形成された横リブ２ｇの高部部分２ｇ１とが、略同一線上に配置されるように構成されている。このように構成することにより、相対する一対の長壁部材２と相対する一対の短壁部材３とにより組み立てられた容器本体Ｃ１’の強度や剛性を高めることができ、ひいては、容器本体Ｃ１’及び容器Ｃ１の強度や剛性を高めることができる。
【００６３】
相対する一対の長壁部材２と相対する一対の短壁部材３とにより組み立てられた容器本体Ｃ１’を、図２５に示されているように、底部材１の上方に配置し、その後、容器本体Ｃ１’を、底部材１方向に接近させて、底部材１に形成された嵌合部材１ｇの嵌合縦孔Ｈ１に、長壁部材２に形成された嵌合ブロックＢ１及び短壁部材３に形成された嵌合ブロックＢ１を挿入させる。この嵌合縦孔Ｈ１への嵌合ブロックＢ１の挿入過程において、嵌合ブロックＢ１を構成する弾性舌片保護部材ｂ２により保護されている弾性舌片ｂ１に形成されている係止突部ｂ１ａの傾斜面ｂ１ａ’が、嵌合部材１ｇの嵌合孔１ｇ１を形成する、周状上端水平フランジ１ｃの長手方向に沿った相対する辺１ｇ１’のうち、周状上端水平フランジ１ｃの先端側に位置する辺１ｇ１’に当接し、弾性舌片ｂ１の自由端部が、底部材１の周壁部１ｂ方向に弾性変形し、底部材１に形成された嵌合部材１ｇの嵌合縦孔Ｈ１に、長壁部材２及び短壁部材３に形成された嵌合ブロックＢ１が嵌合されることになり、弾性舌片ｂ１に形成されている係止突部ｂ１ａが、底部材１に形成された嵌合部材１ｇを構成する仕切板部１ｇ４に穿設された係止透孔１ｇ４’と一致した時点で、弾性変形されている弾性舌片ｂ１が、元の垂直状態に戻り、図２６に示されているように、係止突部ｂ１ａが、仕切板部１ｇ４に穿設された係止透孔１ｇ４’に挿入され、底部材１と長壁部材２及び短壁部材３とが連結され、本発明の容器Ｃ１が、組み立てられることになる。
【００６４】
また、長壁部材２の下端水平フランジ２ｄの裏面、及び／或いは、短壁部材３の下端水平フランジ３ｃの裏面に、上述したような副嵌合ブロック部材Ｂ１’が垂設されている場合には、副嵌合ブロック部材Ｂ１’が、底部材１の周状上端水平フランジ１ｃに形成された副嵌合縦孔ｈ１に嵌合されることになる。
【００６５】
上述したように、長壁部材２には、平板状板部２ａの両端垂直辺から、平板状板部２ａの内面２ａ１に対して略垂直な縦長連結部２ｂが形成されているので、長壁部材２の強度や剛性を高めることができるとともに、箱型に組み立てられた容器Ｃ１自体の強度や剛性を高めることができ、従って、箱型に組み立てられた容器Ｃ１の捩れ変形を防止することができる。
【００６６】
また、上述したように、底部材１と長壁部材２及び短壁部材３との連結作業の際には、底部材１に形成された嵌合部材１ｇの嵌合縦孔Ｈ１に、長壁部材２に形成された嵌合ブロックＢ１及び短壁部材３に形成された嵌合ブロックＢ１を挿入されることになるが、嵌合ブロックＢ１を構成する弾性舌片ｂ１が、弾性舌片保護部材ｂ２により、その下端が保護されるよう構成されているので、弾性舌片ｂ１が、底部材１の周状上端水平フランジ１ｃに、直に当接することがなく、従って、底部材１と長壁部材２及び短壁部材３との連結作業の際に、弾性舌片ｂ１が損傷するようなことを防止することができる。
【００６７】
箱型に組み立てられた容器Ｃ１を分解する場合には、先ず最初に、長壁部材２及び短壁部材３に形成された嵌合ブロック部材Ｂ１を構成する弾性舌片ｂ１の係止突部ｂ１ａに形成されている凹部ｂ１ａ”に、棒体Ｓを挿入し、図２７に示されているように、弾性舌片ｂ１の自由端部を、底部材１の周壁部１ｂ方向に弾性変形させて、弾性舌片ｂ１に形成されている係止突部ｂ１ａを、底部材１に形成された嵌合部材１ｇを構成する仕切板部１ｇ４に穿設された係止透孔１ｇ４’から排出させ、その後、容器本体Ｃ１’を、上昇させて、容器本体Ｃ１’と底部材１との連結状態を解除する。この底部材１と容器本体Ｃ１’との連結状態の解除作業のために、弾性舌片ｂ１の自由端部を、底部材１の周壁部１ｂ方向に弾性変形させることになるが、弾性舌片ｂ１が過度に弾性変形し、弾性舌片ｂ１が損傷しないように、上述したように、弾性舌片ｂ１に、弾性変形抑制突起ｂ１ｂ’を突設し、図２７に示されているように、弾性変形抑制突起ｂ１ｂ’を、底部材１の周壁部１ｂに当接させることにより、弾性舌片ｂ１の過度の弾性変形を抑制し、弾性舌片ｂ１が損傷しないように構成されている。
【００６８】
なお、容器本体Ｃ１’を構成する長壁部材２と短壁部材３との分解作業は、上述した長壁部材２と短壁部材３との組み立て作業と逆の工程により行うことができる。即ち、長壁部材２に対して、短壁部材３を下降させることにより、或いは、短壁部材３に対して、長壁部材２を上昇させることにより、短壁部材３に形成された嵌合ブロック部材３ｅの垂直部３ｅ２を、長壁部材２の縦長連結部２ｂに形成されている副空間部Ａ１’内に位置する嵌合空間Ａ２から排出させ、その後、長壁部材２の副空間部Ａ１’から、短壁部材３の嵌合ブロック部材３ｅを引き抜くことにより、長壁部材２と短壁部材３とを分解することができる。このようにして、容器Ｃ１が、１つの底部材１と、２枚の長壁部材２と、２枚の短壁部材３との５個の部材に分解されることになる。
【００６９】
上述したように、組立・分解可能容器Ｃ１が、１つの底部材１と２枚の長壁部材２と２枚の短壁部材３との５個の部材とにより構成されており、先ず最初に、２枚の長壁部材２と２枚の短壁部材３とにより筒状の容器本体Ｃ１’を形成し、その後、筒状の容器本体Ｃ１’を、底部材１に連結させることにより、組立・分解可能容器Ｃ１が、箱型に組み立てられ、また、箱型に組み立てられた状態の組立・分解可能容器Ｃ１の底部材１から、筒状の容器本体Ｃ１’を引き抜き、次いで、長壁部材２と短壁部材３との係合状態を解除することにより、組立・分解可能容器Ｃ１を、１つの底部材１と２枚の長壁部材２と２枚の短壁部材３との５個の部材に分解することができるので、組立・分解可能容器Ｃ１の組み立て及び分解を、短時間で、且つ、容易に行うことができる。
【００７０】
また、組立・分解可能容器Ｃ１を、１つの底部材１と２枚の長壁部材２と２枚の短壁部材３との５個の部材とにより構成したので、組み立てられた状態の組立・分解可能容器Ｃ１の保管スペースに比べて、分解された部材１、２、３の保管スペースを大幅に減少することができる。
【００７１】
また、組立・分解可能容器Ｃ１の長壁部材２の幅を広くしたり、或いは、狭くし、組立・分解可能容器Ｃ１の長壁部材２側の幅を変更する場合には、長壁部材２の幅と底部材１を構成する周壁部１ｂの長辺周壁１ｂ１の幅を変更するだけで、短壁部材３を変更する必要がない。
【００７２】
また、図１４〜図１７に示されているように、短壁部材３の端部垂直側板部３ｄと、嵌合ブロック部材３ｅの水平部３ｅ１の上部水平リブ３ｅ１”とにより形成される隅部には、上部水平リブ３ｅ１”から、上部水平フランジ３ｉ付近まで延在する垂直状の嵌合突条３ｐが形成されている。
【００７３】
一方、長壁部材２の縦長連結部２ｂに形成された、上端水平板部２ｂ１と対向する上端部水平区画板部２ｂ５’及び相対する垂直側板部２ｂ３の先端２ｂ３’まで延在する水平片２ｂ７には、上述した垂直状の嵌合突条３ｐが嵌合可能な凹部２ｍが形成されている。このように、容器Ｃ１が箱型に組み立てられた際に、長壁部材２の縦長連結部２ｂに形成された凹部２ｍに、短壁部材３に形成された嵌合突条３ｐを嵌合することにより、短壁部材３の長壁部材２の平板状板部２ａに対して垂直方向への移動を、より確実に抑制することができるとともに、箱型に組み立てられた容器Ｃ１の長壁部材２と短壁部材３の捩れ変形を、より確実に防止することができる。
【００７４】
上述したように、短壁部材３の上部水平フランジ３ｉと端部垂直側板部３ｄとにより形成される隅部に、上部水平フランジ３ｉの端部付近と端部垂直側板部３ｄの上端部付近を連結する傾斜連結リブｅ１と、該傾斜連結リブｅ１の中程に形成された、傾斜連結リブｅ１と短壁部材３の端部垂直側板部３ｄとを連結する水平リブｅ２と、短壁部材３の上端水平フランジ３ｂと上部水平フランジ３ｉとを連結する垂直補強連結リブ３ｋに連接された垂直リブｅ３と、隅部外壁板部ｅ４とからなる上部隅部補強部材Ｅ１を形成したので、短壁部材３の強度や剛性を高めることができ、ひいては、箱型に組み立てられた容器Ｃ１の強度や剛性を高めることができるとともに、容器Ｃ１の捩れ変形を防止することができる。
【００７５】
また、上部隅部補強部材Ｅ１の水平リブｅ２と、嵌合ブロック部材３ｅの水平部３ｅ１を構成する水平部３ｅ１の上部水平リブ３ｅ１”とを、略同一線上に配置したことにより、上部隅部補強部材Ｅ１を更に補強することができ、ひいては、箱型に組み立てられた容器Ｃ１の強度や剛性を高めることができるとともに、容器Ｃ１の捩れ変形を防止することができる。また、嵌合ブロック部材３ｅの強度や剛性を高めることができる。
【００７６】
更に、上端水平フランジ３ｂと上部水平フランジ３ｉとを連結する垂直補強連結リブ３ｋには、上部水平フランジ３ｉを介して、垂直リブｅ３が連接されている。このように構成することにより、短壁部材３の強度や剛性を高めることができ、ひいては、箱型に組み立てられた容器Ｃ１の強度や剛性を高めることができるとともに、容器Ｃ１の捩れ変形を防止することができる。
【００７７】
更にまた、嵌合ブロック部材３ｅの水平部３ｅ１を構成する水平部３ｅ１の上部水平リブ３ｅ１”と横リブ３ｈとが、略同一線上に配置されており、このように構成することにより、短壁部材３の強度や剛性を高めることができ、ひいては、箱型に組み立てられた容器Ｃ１の強度や剛性を高めることができるとともに、容器Ｃ１の捩れ変形を防止することができる。また、短壁部材３に形成された嵌合ブロック部材３ｅの強度や剛性を高めることができる。
【００７８】
なお更に、長壁部材２と短壁部材３とが連結された際には、短壁部材３に形成された嵌合ブロック部材３ｅの水平部３ｅ１の上部水平リブ３ｅ１”と、長壁部材２に形成された横リブ２ｇの高部部分２ｇ１とが、略同一線上に配置されるように構成されている。このように構成することにより、相対する一対の長壁部材２と相対する一対の短壁部材３とにより組み立てられた容器本体Ｃ１’の強度や剛性を高めることができ、ひいては、容器本体Ｃ１’及び容器Ｃ１の強度や剛性を高めることができる。
【符号の説明】
【００７９】
Ａ２・・・・・・・・・・・嵌合空間
Ｂ１・・・・・・・・・・・嵌合ブロック部材
ｂ１・・・・・・・・・・・弾性舌片
ｂ２・・・・・・・・・・・弾性舌片保護部材
Ｃ１・・・・・・・・・・・組立・分解可能容器
Ｃ１’・・・・・・・・・・容器本体
Ｅ・・・・・・・・・・・・上部隅部補強部材
１・・・・・・・・・・・・底部材
１ｇ・・・・・・・・・・・嵌合部材
２・・・・・・・・・・・・長壁部材
２ｂ・・・・・・・・・・・縦長連結部
３・・・・・・・・・・・・短壁部材
３ｅ・・・・・・・・・・・嵌合ブロック部材
【図１】
0005631777.tif 000002
【図２】
0005631777.tif 000003
【図３】
0005631777.tif 000004
【図４】
0005631777.tif 000005
【図５】
0005631777.tif 000006
【図６】
0005631777.tif 000007
【図７】
0005631777.tif 000008
【図８】
0005631777.tif 000009
【図９】
0005631777.tif 000010
【図１０】
0005631777.tif 000011
【図１１】
0005631777.tif 000012
【図１２】
0005631777.tif 000013
【図１３】
0005631777.tif 000014
【図１４】
0005631777.tif 000015
【図１５】
0005631777.tif 000016
【図１６】
0005631777.tif 000017
【図１７】
0005631777.tif 000018
【図１８】
0005631777.tif 000019
【図１９】
0005631777.tif 000020
【図２０】
0005631777.tif 000021
【図２１】
0005631777.tif 000022
【図２２】
0005631777.tif 000023
【図２３】
0005631777.tif 000024
【図２４】
0005631777.tif 000025
【図２５】
0005631777.tif 000026
【図２６】
0005631777.tif 000027
【図２７】
0005631777.tif 000028